(57)【要約】【課題】ユーザにより選択された放送のコンテンツが移動中に視聴不能になるリスクを大幅に低減させてユーザビリティを向上させる無線通信装置を提供する。【解決手段】複数の無線通信システムのブロードキャスト／マルチキャストサービスに対応可能な無線通信装置１０は、コンテンツを選択するための選択画面を表示する表示部２２と、各無線通信システムのブロードキャスト／マルチキャストサービスの提供エリアに基づいて、提供エリアが広い無線通信システムのブロードキャスト／マルチキャストサービスのコンテンツが、他の無線通信システムのブロードキャスト／マルチキャストサービスのコンテンツよりも選択容易になるように、表示部２２の選択画面を生成する画面生成部３０と、を備えている。【選択図】  図１
2010109583.tif 000002
【特許請求の範囲】
【請求項１】
複数の無線通信システムのブロードキャスト／マルチキャストサービスに対応可能な無線通信装置であって、
前記ブロードキャスト／マルチキャストサービスのコンテンツを選択するための選択画面を表示する表示部と、
各無線通信システムのブロードキャスト／マルチキャストサービスの提供エリアに基づいて、該提供エリアが広い無線通信システムのブロードキャスト／マルチキャストサービスのコンテンツが、他の無線通信システムのブロードキャスト／マルチキャストサービスのコンテンツよりも選択容易になるように、前記表示部の選択画面を生成する画面生成部と、
を備える無線通信装置。
【請求項２】
無線通信システムのブロードキャスト／マルチキャストサービスに対応可能な無線通信装置であって、
前記ブロードキャスト／マルチキャストサービスのコンテンツを選択するための選択画面を表示する表示部と、
前記ブロードキャスト／マルチキャストサービスのサービス種別に対応する提供エリアに基づいて、該提供エリアが広いサービス種別のコンテンツが、他のサービス種別のコンテンツよりも選択容易になるように、前記表示部の選択画面を生成する画面生成部と、
を備える無線通信装置。
【発明の詳細な説明】
【技術分野】
【０００１】
本発明は、無線通信装置に関するものであり、特に、無線通信システムのブロードキャスト／マルチキャストサービスに対応可能な無線通信装置に関するものである。なお、本願において、「ブロードキャスト／マルチキャストサービス」とは、ブロードキャストのサービスとマルチキャストのサービスとの少なくとも一方を表す。
【背景技術】
【０００２】
無線通信端末向けのブロードキャスト／マルチキャストサービスは、現在、各標準規格に応じて様々な提案がなされている。既に実用化されているサービスも存在し、このようなサービスによって、多数の無線通信端末に向けて、映像、音楽、各種情報などのコンテンツの同報一斉配信が行われている。
【０００３】
例えば、第３世代パートナーシップ・プロジェクト3GPP（Third Generation Partnership Project）による標準規格には、このようなコンテンツの同報一斉配信技術として、MBMS(Multimedia Broadcast/Multicast Service)が含まれている。また、第３世代パートナーシップ・プロジェクト3GPP2（Third Generation Partnership Project 2）による標準規格には、BCMCS(Broadcast/Multicast Services)の技術が含まれている。
【０００４】
このBCMCSは、３Ｇ携帯電話の標準規格であるCDMA2000の1xEV-DO Rev.0の規格に含まれており、既に実用化されている。このBCMCSは、基地局から、エリア内の多数の端末に同時に情報を送信する同報通信の技術で、同一のデータを複数の端末に向けて同時に一斉送信することができる。そのため、BCMCSは、テレビ番組のような放送型の映像配信に利用することができ、また、リアルタイムの配信が可能であるため、ニュースなどの情報配信にも向いている。BCMCSを利用して、例えばニュースや天気予報といった各種ジャンルのサービスを定期的に配信したり、各種番組の映像および音声のデータを深夜から早朝にかけて自動で配信するサービス等が行われている。
【０００５】
図７は、BCMCSのサービスを提供するCDMAの基地局の配置を概略的に示している。ここでは、説明の便宜上、CDMAの基地局（ＢＳ）100-1〜100-7を７箇所に配置している。CDMA基地局100-1〜100-7のそれぞれを包囲する円周は、各CDMA基地局の電波の届く範囲（エリア）であるセルの外周（フリンジ）を表している。
【０００６】
CDMAにおいては、隣り合うセル（セクタ）間で同一の周波数を用いて通信を行っても、互いの電波の干渉による影響を受けにくい。これは、異なるセル間（セクタ間）では、CDMAの信号の拡散を行うために用いる擬似雑音（pseudo noise：PN）符号が異なるようにして通信を行うためである。したがって、図７に示すように、各CDMA基地局のセルは、隣接する他のCDMA基地局のセルと重なるように配置することができる。
【０００７】
このようなPN符号の仕組みを用いることにより、CDMAでは、あるセル（セクタ）から他のセルに端末が移動する際に、RF部（無線部）の周波数を変更せずにハンドオフを行うことができる。このため、RF部の周波数を変更しなければならない場合に比べて高速なハンドオフが可能である。このようにして、CDMAでは、広範囲に散在する複数の無線通信端末に対して、各端末が移動している場合であっても、BCMCSのようなコンテンツの同報一斉配信を行うサービスが可能である。
【０００８】
一方、上述したCDMA以外の規格においても、CDMAにおけるBCMCSのようなブロードキャスト／マルチキャストのサービスが提案されている。例えば、IEEE(The Institute of Electrical and Electronics Engineers, Inc.)によって策定された広域無線通信規格のIEEE802.16e/D5に追加されたブロードキャスト／マルチキャスト型の情報伝送機能として、MBS(Multicast and Broadcast Services)がある。なお、IEEE802.16eは、WiMAX（登録商標）が準拠する固定通信向け方式であるIEEE802.16-2004を拡張した規格である。IEEE802.16eにおいては、従来のIEEE802.16で規格化された固定WiMAXにハンドオーバの機能が追加されるなど、WiMAXが移動アクセス向けの仕様に拡張されている。以下、このIEEE802.16eの規格をWiMAXと表記する。
【０００９】
上述したMBMS、BCMCS、およびMBSのサービスは、無線通信ネットワーク（無線通信システム）において、１つのデータソースから複数の無線通信装置（端末）にデータを送信するサービスである。これらのサービスは、ネットワーク資源の共有を実現することにより、ネットワーク資源、特にエアインタフェース資源の利用率を向上させている。各サービスで配信するコンテンツは、テキストや動画像のバーストメッセージタイプ、ファイルダウンロードタイプ、映像および音声のストリーミングタイプとすることもできる。
【００１０】
図８は、MBSのサービスを提供するWiMAXの基地局の配置を概略的に示している。ここでは、説明の便宜上、WiMAXの基地局（ＢＳ）200-1〜200-7を７つ配置する。WiMAX基地局200-1〜200-7のそれぞれを包囲する円周は、各WiMAX基地局のセルのフリンジを表している。
【００１１】
WiMAXにおいては、物理層にOFDMA(Orthogonal Frequency Division Multiple Access：直交周波数分割多元接続)を用いている。このWiMAXは、上述したCDMAとは異なり、隣接するセル間で同一の周波数を用いた場合、セル間で信号が干渉する。この干渉を回避するには、基地局間の距離および信号の強度を調整して、例えば図８に示すように、セルが重ならないように基地局を設置する。
【００１２】
なお、隣接するWiMAX基地局間で異なる周波数を用いれば、セル間の境界部分（フリンジ）において干渉は発生しない。したがって、WiMAX基地局間で異なる周波数を用いる場合には、基地局間でセルが重なるように基地局を配置することもできる。しかしながら、基地局間で異なる周波数を用いる場合、端末があるセルから隣接するセルに移動する際にはハンドオーバを行う必要がある。WiMAXにおいては、ハンドオーバを行う際に、WiMAXの基地局とのシーケンスのやりとりを行うことにより、通信が一時的に途切れてしまう。このハンドオーバに要する時間は、IEEE802.16eの規格では最大50msを想定しており、次世代規格のIEEE802.16mでは最大30msを想定している。
【００１３】
図９は、WiMAXのシステムにおいてMBSを提供する例を概略的に示している。MBSのサービスの種類（種別）には、コンテンツを特定のセクタに対してのみ提供するSingle-BS-MBSと、異なる複数のセクタで同一のコンテンツを提供するMulti-BS-MBSがあり、これらの種類（種別）のサービスを同時に提供することができる。
【００１４】
この点において、WiMAXのMBSは、MediaFLO（登録商標）のシステムによる放送と似ている。MediaFLOとは、携帯端末向け多チャンネル放送サービスであり、移動体環境に適した技術によって、映像や音楽を配信するものである。MediaFLOでは、単一の周波数帯域で、広域放送に相当する「Wide-area Data」と、地域放送に相当する「Local-area Data」とを放送するための時間軸上で区切られた信号領域を有する。WiMAXのMBSをMediaFLOに例えると、WiMAXのSingle-BS-MBSはMediaFLOのLocal-area Dataに相当し、WiMAXのMulti-BS-MBSはMediaFLOのWide-area Dataに相当する。
【００１５】
MediaFLOにおけるWide-area DataおよびLocal-area Dataの提供と同様に、WiMAXのMBSにおいても、広域用のデータおよび地域別のデータを、送信タイミングおよびサブチャネルを変更することにより、各基地局から同一の周波数で送信可能である。したがって、各WiMAX基地局は、他の基地局と同一のコンテンツを放送する広域放送にはMulti-BS-MBSを用いて、地域別の異なるコンテンツを放送する地域放送にはSingle-BS-MBSを用いて、それぞれ放送信号を送信することができる。
【００１６】
このようなエリア別の放送を実現するために、WiMAXのMBSでは、ブロードキャストサービスの各コンテンツを、CID(Connection ID)という識別子に関連付けている。このCIDを利用することで、セクタごとに異なるSingle-BS-MBSを用いた地域別放送を行うことができる。例えば、図９に示すように、WiMAX基地局200-1〜200-7は、それぞれのセル内において、異なる識別子CID#11〜CID#17を有するSingle-BS-MBSのコンテンツを提供することができる。すなわち、WiMAX基地局200-1〜200-7の各セル内においては、無線通信装置を用いることで、セクタごとに異なるコンテンツを受信することができる。
【００１７】
さらに、WiMAXでは、１つのセクタにつき複数のMBSを登録することもできる。そのため、上述したように、セクタごとに異なるSingle-BS-MBSを用いる地域別放送の他にも、さらに、複数セクタで同一のコンテンツを配信するMulti-BS-MBSを用いた広域放送を行うこともできる。Multi-BS-MBSでは、同一のコンテンツが放送される全てのエリアで同じCIDを用いてブロードキャストサービスを提供する。
【００１８】
例えば、図９に示すように、破線の左上側に存在するWiMAX基地局200-1〜200-5のセル内においては、Multi-BS-MBSの識別子がCID#1の同一のコンテンツを受信することができる。一方、破線の右下側に存在するWiMAX基地局200-6〜200-7のセル内においては、Multi-BS-MBSの識別子がCID#2の同一のコンテンツを受信することができる。これらCID#1やCID#2のように、Multi-BS-MBSの提供エリアを識別する識別子はMBS Zone Identifierと呼ばれる。したがって、ユーザの移動により端末が異なるセクタに移ったとしても、同じMBS Zone Identifierが受信できるセクタにおいては、同一のコンテンツを視聴することができる。
【００１９】
しかしながら、移動体端末を用いてこのようなMulti-BS-MBSのコンテンツを視聴している最中に、CIDの異なるセクタに移動すると、当該端末は、そのコンテンツを受信することができなくなる。例えば図９において、端末がMulti-BS-MBSのコンテンツを受信している最中に図中の破線をまたぐような移動を行った場合、受信するMBS Zone IdentifierがCID#1からCID#2に（またはCID#2からCID#1に）変わる。このため、それまで視聴していたMBS Zone Identifierに基づくMulti-BS-MBSのコンテンツの受信を継続できなくなる。
【００２０】
移動体端末のユーザにとっては、移動によりセクタが変わったことは、通常、判別できない。したがって、セクタの移動により突然コンテンツの視聴ができなくなると、ユーザにとって著しく不便である。
【００２１】
このような課題に役立ち得る技術として、複数のセルからなる移動通信システムにおける放送サービスの提供にあたり、この放送サービスのデータを送信する際に、併せて放送領域識別情報を端末に送信する方法が提案されている（例えば、特許文献１参照）。
【００２２】
【特許文献１】特表２００７−５３６７９０号公報
【発明の開示】
【発明が解決しようとする課題】
【００２３】
この特許文献１に記載の方法によれば、移動通信端末が複数のセル間を移動しながら放送サービスを受信している際に、放送領域識別情報に基づいて、以前の放送領域から外れたか否かを判断することができる。さらに、この移動通信端末は、端末が以前の放送領域から外れた場合には、ユーザにその旨を通知することができる。例えば、この移動通信端末は、図９において、CID#1のエリアからCID#2のエリアに移動した場合、ユーザに対してCID#1のコンテンツを受信できなくなったことを通知する。
【００２４】
したがって、特許文献１に記載の方法に基づけば、WiMAXで提供されるMBSの受信・視聴中に、MBSのサービス提供エリアが変更になり、エリア変更前に視聴していたMBSが視聴できなくなった際に、ユーザはその旨を知ることができる。
【００２５】
しかしながら、特許文献１に記載の通信端末は、端末が以前の放送エリアから外れた際にユーザに通知することはできても、結局、視聴が継続不能になることは避けられない。すなわち、ユーザにより選択された放送のコンテンツが移動中に視聴不能になるリスクは常に存在する。
【００２６】
特に、通信端末を所持するユーザがMBS受信可能エリアのフリンジ付近にいるような場合には、コンテンツ視聴開始時には受信ができても、その後の移動により早期に受信不能になることが考えられる。また、特にSingle-BS-MBSを受信している場合は、コンテンツ提供エリアが比較的狭いことが想定されるため、視聴開始後の移動により受信ができなくなるリスクが顕著であると考えられる。
【００２７】
上述したような無線通信システムの各放送サービスにおいては、今後、ユーザビリティ向上の一環として、複数の放送サービスに対応可能な無線通信端末が主流になるものと予想される。複数の放送サービスにより豊富な種類のコンテンツが配信されて、ユーザにとって視聴の選択肢が増えたとしても、選択した放送コンテンツが移動中に頻繁に視聴不能になるとすれば、それはユーザビリティの優れたサービスとは言い難い。
【００２８】
したがって、かかる事情に鑑みてなされた本発明の目的は、ユーザにより選択された放送のコンテンツが移動中に視聴不能になるリスクを大幅に低減させてユーザビリティを向上させる無線通信装置を提供することにある。
【課題を解決するための手段】
【００２９】
上記目的を達成する請求項１に係る無線通信装置の発明は、
複数の無線通信システムのブロードキャスト／マルチキャストサービスに対応可能な無線通信装置であって、
前記ブロードキャスト／マルチキャストサービスのコンテンツを選択するための選択画面を表示する表示部と、
各無線通信システムのブロードキャスト／マルチキャストサービスの提供エリアに基づいて、該提供エリアが広い無線通信システムのブロードキャスト／マルチキャストサービスのコンテンツが、他の無線通信システムのブロードキャスト／マルチキャストサービスのコンテンツよりも選択容易になるように、前記表示部の選択画面を生成する画面生成部と、
を備えることを特徴とするものである。
【００３０】
また、上記目的を達成する請求項２に係る無線通信装置の発明は、
無線通信システムのブロードキャスト／マルチキャストサービスに対応可能な無線通信装置であって、
前記ブロードキャスト／マルチキャストサービスのコンテンツを選択するための選択画面を表示する表示部と、
前記ブロードキャスト／マルチキャストサービスのサービス種別（例えばSingle-BS-MBSまたはMulti-BS-MBS）に対応する提供エリアに基づいて、該提供エリアが広いサービス種別のコンテンツが、他のサービス種別のコンテンツよりも選択容易になるように、前記表示部の選択画面を生成する画面生成部と、
を備えることを特徴とするものである。
【発明の効果】
【００３１】
本発明による無線通信装置は、提供エリアが広い、つまり移動により受信不可能になるリスクの低いコンテンツを、他のコンテンツよりも優先的に、すなわち選択容易になるように表示部に表示する。これにより、ユーザは、移動しても安定して視聴を継続できる可能性の高いものから優先的にコンテンツを選択して視聴することができる。したがって、ユーザにより選択された放送のコンテンツが移動中に視聴不能になるリスクは大幅に低減し、ユーザビリティが著しく向上する。
【発明を実施するための最良の形態】
【００３２】
以下、本発明の各実施の形態について、図面を参照して説明する。
【００３３】
（第１実施の形態）
図１は、本発明の第１実施の形態に係る無線通信装置の概略構成を示す機能ブロック図である。本実施の形態において、無線通信装置１０は携帯電話を想定して説明する。しかしながら、第１実施の形態に係る無線通信装置１０は携帯電話に限定されるものではなく、無線通信システムのブロードキャスト／マルチキャストサービスに対応可能な無線通信装置であれば適用可能である。
【００３４】
図１に示す本実施の形態に係る無線通信装置１０は、第１のシステムであるWiMAXと、第２のシステムであるCDMA2000との２つの無線通信システムに対応した携帯電話である。すなわち、無線通信装置１０は、無線通信システムのブロードキャスト／マルチキャストサービスのうち、第１システムのWiMAXに係るMBSのサービスと、第２システムのCDMAに係るBCMCSのサービスとの両方に対応する。したがって、それぞれのシステムによる電波を受信する受信系を有している。
【００３５】
図１に示すように、無線通信装置１０は制御部１２を備えており、この制御部１２は、無線通信装置１０の全体を制御および管理する。また、無線通信装置１０は、第１システムのWiMAXに対応すべく、アンテナ１４と、WiMAX(IEEE802.16e)の規格に対応した通信機能を有するWiMAX通信部１６とを備えている。さらに、無線通信装置１０は、第２システムのCDMA2000に対応すべく、アンテナ１８と、CDMA2000の1xEV-DOの規格に対応した通信機能を有するCDMA通信部２０とを備えている。
【００３６】
WiMAX通信部１６は、制御部１２の制御により、アンテナ１４を介して、外部のWiMAX基地局とデータの送受信を行うことにより通信を行う。同様に、CDMA通信部２０は、アンテナ１８を介して、外部のCDMA基地局とデータの送受信を行うことで通信を行う。
【００３７】
無線通信装置１０はまた、ＬＣＤや有機ＥＬディスプレイなどで構成される表示部２２と、スピーカ等などで構成される音声出力部２４とを備えている。表示部２２は、WiMAX通信部１６およびCDMA通信部２０が受信したコンテンツの映像データに基づく映像を表示する他、当該コンテンツをユーザが選択するための選択画面を表示する。以下、このように、ユーザに対してコンテンツの選択を促すために表示部２２に表示する画面を、単に「選択画面」と記す。音声出力部２４は、WiMAX通信部１６およびCDMA通信部２０が受信したコンテンツの音声データに基づく音声を出力する。
【００３８】
さらに、無線通信装置１０は、ボタン型のキーまたはタッチスクリーン等で構成される操作入力部２６と、フラッシュメモリ等で構成される記憶部２８とを備えている。操作入力部２６は、表示部２２に表示した上述の選択画面に基づいて、ユーザが視聴を希望するコンテンツを選択する操作入力を受け付ける。なお、操作入力部２６がタッチスクリーンで構成される場合、操作入力部２６を表示部２２の前面に重畳させて配置することにより、表示部２２のアイコン表示などに対するユーザのタッチ操作に基づいて、操作入力部２６が操作入力を受け付けるようにできる。記憶部２８は、無線通信装置１０を動作させる端末制御ソフトウェアや、MBSおよびBCMCSのコンテンツを選択および視聴するブロードキャスト／マルチキャストサービス視聴アプリケーションプログラムなどを格納する。以下、アプリケーションプログラムは、単に「アプリケーション」と略記する。
【００３９】
制御部１２は、表示部２２に表示する上述の選択画面を生成する画面生成部３０を含んでいる。画面生成部３０は、記憶部２８から読み出したブロードキャスト／マルチキャストサービス視聴アプリケーションに従って、上述の「選択画面」を生成する。この選択画面とは、WiMAX通信部１６および／またはCDMA通信部２０により受信することができるサービスのコンテンツを表示部２２に（一覧）表示した画面である。ユーザは、この選択画面（コンテンツの一覧）を見ることによって、現在視聴可能なコンテンツを知ることができる。選択画面の中から視聴を希望するコンテンツを選択するユーザは、当該選択を操作入力部２６から入力することができる。
【００４０】
次に、本実施の形態による選択画面生成処理を説明する。これに際し、WiMAXのMBSサービスおよびCDMAのBCMCSサービスのそれぞれのコンテンツ配信エリアと、無線通信装置１０との位置関係の態様について説明する。
【００４１】
図２は、複数のWiMAX基地局のセルおよびCDMA基地局のセルと、無線通信装置１０との位置関係の態様を概略的に示す図である。図２において、破線で囲まれた領域は、図示しないCDMA基地局による、BCMCSサービスを利用可能なCDMAサービスエリア(BCMCSサービスの提供エリア)を示す。また、実線で囲まれた領域は、図示しないWiMAX基地局による、MBSサービスを利用可能なWiMAXサービスエリア(MBSサービスの提供エリア)を示す。
【００４２】
上述したように、WiMAXでは、複数の基地局で同一コンテンツを放送する広域放送にMulti-BS-MBSを用いて、地域別に異なるコンテンツを放送する地域放送にSingle-BS-MBSを用いることができる。したがって、図２の例では、図示しない５つのWiMAX基地局が、それぞれのセルにおいて異なるSingle-BS-MBSによる異なるコンテンツを配信している場合を説明する。これらのコンテンツのCIDは、それぞれ、CID#11, CID#12, CID#13, CID#17, CID#18とする。
【００４３】
一方、CID#11, CID#12, CID#13のSingle-BS-MBSによるコンテンツを配信する３つのWiMAX基地局は、これらが配信される各セルにおいて、同じMulti-BS-MBSによる同一のコンテンツを配信する。このため、これら３つのWiMAX基地局の各セルにおいて配信されるMulti-BS-MBSのコンテンツのMBS Zone Identifierは、同一のCID#1にする。また、CID#17のSingle-BS-MBSによるコンテンツを配信するWiMAX基地局は、そのセルにおいて、さらにCID#2のMulti-BS-MBSによるコンテンツも配信する。なお、図２に示す、CID#18のSingle-BS-MBSによるコンテンツを配信するWiMAX基地局、およびCID#13のSingle-BS-MBSとCID#1のMulti-BS-MBSによるコンテンツを配信するWiMAX基地局は、例えば屋内や地下などの、CDMAのサービス圏外である限定されたエリアに設置されていることを想定している。
【００４４】
図２に示すような電波状況と、無線通信装置１０の位置との関係の態様をまとめると、以下のようになる。
無線通信装置１０ａ：CDMAのサービス圏内であるが、WiMAXのサービス圏外
無線通信装置１０ｂ：CDMAのサービス圏内、かつWiMAXのMulti-BS-MBSのサービス圏内、かつSingle-BS-MBSのサービス圏内
無線通信装置１０ｃ：CDMAのサービス圏外であるが、WiMAXのSingle-BS-MBSのみサービス圏内（屋内や地下などを想定）
無線通信装置１０ｄ：CDMAのサービス圏内、かつWiMAXのMulti-BS-MBSのサービス圏内であるが、Single-BS-MBSのエリアフリンジ
無線通信装置１０ｅ：CDMAのサービス圏内であるが、WiMAXのMulti-BS-MBSのエリアフリンジ、かつSingle-BS-MBSのエリアフリンジ
無線通信装置１０ｆ：CDMAのサービス圏外であるが、WiMAXのMulti-BS-MBSのサービス圏内、かつSingle-BS-MBSのサービス圏内
【００４５】
次に、図３のフローチャート、および図４の選択画面の表示例を参照しながら、本実施の形態による選択画面生成処理を説明する。なお、本実施の形態においては、CID#18のSingle-BS-MBSによるコンテンツのような、屋内や地下などで配信されるWiMAXのコンテンツの送信周波数は、予め規定された既知の周波数とする。以下、このような周波数を、便宜上「屋内用の周波数」と記す。
【００４６】
図３は、本発明の第１実施の形態による選択画面生成処理を説明するフローチャートである。ユーザの操作入力部２６への操作入力などに基づいて、制御部１２が、ブロードキャスト／マルチキャストサービス視聴アプリケーションを記憶部２８から読み出して起動する時点から、本実施の形態による選択画面生成処理は開始する。
【００４７】
選択画面生成処理が開始すると、制御部１２は、WiMAX通信部１６によりWiMAXによる通信が可能か否かを判定する（ステップＳ１０１）。ここで、WiMAXによるMBSのコンテンツは、端末から基地局にリクエストを行うことによって受信可能になる。その前提として、WiMAXのサービスを利用するには、無線通信装置１０からWiMAX基地局に対しサービス追加要求のメッセージDSA-REQ(Dynamic Service Addition Request)を送信する必要がある。このメッセージに対するWiMAX基地局からの応答により、制御部１２は、WiMAXによる通信が可能か否かを判定する。
【００４８】
ステップＳ１０１にて、例えばWiMAXエリア圏外などのためWiMAXによる通信が可能でない場合、制御部１２は、CDMAによるBCMCSのコンテンツがCDMA通信部２０により受信可能であるか否かを判定する（ステップＳ１０２）。ステップＳ１０２において、CDMAのコンテンツも受信不可能な場合、現在無線通信装置１０が受信できるコンテンツは存在しないため、選択画面生成処理は終了する。
【００４９】
ステップＳ１０２にて、CDMAによるBCMCSのコンテンツが受信可能である場合、画面生成部３０は、BCMCSのコンテンツの一覧を表示する選択画面を生成して表示部２２に表示する（ステップＳ１０３）。なお、ステップＳ１０３を行う際の電波状況は、図２における無線通信装置１０ａの場合に対応する。この場合、表示部２２に表示する選択画面は、例えば図４に示す２２ａのようにする。無線通信装置１０ａの位置では、CDMAのBCMCSのみが受信可能であるため、BCMCSのコンテンツのみを表示部２２に表示している。
【００５０】
ステップＳ１０３が完了した後、選択画面生成処理は終了するが、この時、制御部１２は、図４の２２ａに示す一番上のコンテンツを強調表示する。この強調表示は、コンテンツが仮選択されていることをユーザに示している。仮選択されたコンテンツに対してユーザが選択決定入力を施すと、仮選択は決定され、制御部１２は当該コンテンツを表示部２２に表示して再生を行う。
【００５１】
一方、ステップＳ１０１にて、WiMAXエリア圏内のためWiMAXによる通信が可能な場合、制御部１２は、CDMAによるBCMCSのコンテンツがCDMA通信部２０により受信可能であるか否かを判定する（ステップＳ１０４）。ステップＳ１０４においてCDMAのBCMCSが受信できないと判定された場合、制御部１２は、ステップＳ１０１で可能と判定されたWiMAXによる通信が、既知の屋内用の周波数によるものか否かを判定する（ステップＳ１０５）。この判定は、制御部１２が、ステップＳ１０１で可能と判定されたWiMAXによる通信の周波数を、予め記憶部２８に記憶された既知の屋内用の周波数と比較することにより行う。
【００５２】
ステップＳ１０５にて、WiMAXによる通信が屋内用の周波数によるものではないと判定された場合、当該通信を行うWiMAX基地局は、Multi-BS-MBSのコンテンツを配信する他に、屋内用の周波数にてSingle-BS-MBSのコンテンツをさらに配信していると考えられる。したがって、この場合、画面生成部３０は、Single-BS-MBSのコンテンツよりも配信エリア（ブロードキャスト／マルチキャストサービスの提供エリア）の広範なMulti-BS-MBSのコンテンツを優先させて、MBSのコンテンツの一覧を表示する選択画面を生成して表示部２２に表示する（ステップＳ１０６）。
【００５３】
なお、ステップＳ１０６を行う際の電波状況は、図２における無線通信装置１０ｆの場合に対応する。この場合、表示部２２に表示する選択画面は、例えば図４の２２ｆのようにする。無線通信装置１０ｆの位置では、Multi-BS-MBSのコンテンツおよびSingle-BS-MBSのコンテンツが受信可能であるが、配信エリア（ブロードキャスト／マルチキャストサービスの提供エリア）の広範なMulti-BS-MBSのコンテンツを優先させて、すなわちユーザによるMulti-BS-MBS(CID#1)のコンテンツの選択が容易であるような態様で表示部２２に表示している。
【００５４】
ステップＳ１０６が完了したら選択画面生成処理は終了するが、この時、制御部１２は、図４の２２ｆに示す一番上のコンテンツを仮選択として強調表示する。この仮選択がユーザによる選択決定入力に基づいて決定されると、制御部１２は、Multi-BS-MBS(CID#1)のコンテンツを表示部２２に表示して再生を行う。ここで、ユーザがSingle-BS-MBS(CID#13)のコンテンツの視聴を望む場合は、図２２ｆに示す選択画面において、仮選択を表す強調表示を下方に移動させることにより仮選択をCID#13のコンテンツに移行するユーザの操作入力を受け付ける。この仮選択がユーザによる選択決定入力に基づいて決定されると、制御部１２は、Single-BS-MBS(CID#13)のコンテンツを表示部２２に表示して再生を行う。
【００５５】
本実施の形態において、上述した「コンテンツを優先させて表示する」とは、ユーザがコンテンツを選択し、決定する操作入力を少なくすることができるように、つまりコンテンツの表示までにユーザによる選択が容易になるように表示することを表す。図４に示す選択画面の表示例では、コンテンツの仮選択を強調表示により示し、その後ユーザによる仮選択の決定操作を受け付けるようにしたが、これら一連のコンテンツ選択操作は種々の態様が考えられる。例えば、各コンテンツを表示部２２にレイヤ状に重畳表示し、優先させて表示するコンテンツがより上層に表示されるようにもできる。あるいは、各コンテンツを表示部２２にアイコンなどで表示し、優先させて表示するコンテンツのアイコンが予め仮選択されて表示するようにもできる。このとき、優先度の高いアイコンから順に、仮選択されたコンテンツのアイコンの近傍に表示するのが望ましい。
【００５６】
ステップＳ１０５にて、WiMAXによる通信が屋内用の周波数によるものと判定された場合、画面生成部３０は、Single-BS-MBSのコンテンツの一覧を表示する選択画面を生成して表示部２２に表示する（ステップＳ１０７）。なお、ステップＳ１０７を行う際の電波状況は、図２における無線通信装置１０ｃの場合に対応する。この場合、表示部２２に表示する選択画面は、例えば図４の２２ｃのようにする。無線通信装置１０ｃの位置では、Single-BS-MBSのみが受信可能であるため、Single-BS-MBSのコンテンツ(CID#18)のみを表示部２２に表示している。この後、コンテンツの仮選択から当該仮選択の決定にかかる動作は、上述の動作と同じであるため、説明を省略する。
【００５７】
また、ステップＳ１０４において、CDMAによるBCMCSが受信可能と判定された場合、制御部１２は、複数の異なるMBS Zone Identifierが検出できるか否かを判定する（ステップＳ１０８）。この判定は、WiMAXのMACフレームを解析することによって行う（図６および対応する後述の説明参照）。MBS Zone IdentifierはMulti-BS-MBSの提供エリアを識別するものであるため、同一のMulti-BS-MBSによる広域放送を行っているエリアにおいては、単独のMBS Zone Identifierが検出される。したがって、複数の異なるMBS Zone Identifierが検出される場合とは、例えば図２に示す無線通信装置１０ｅのように、複数の異なるMulti-BS-MBSが提供されるエリアのフリンジに無線通信装置が存在する場合と想定される。無線通信装置１０ｅの存在する位置は、MBS Zone IdentifierがCID#1のMulti-BS-MBS提供エリアと、MBS Zone IdentifierがCID#2のMulti-BS-MBS提供エリアとのフリンジである。
【００５８】
ステップＳ１０８において、複数のMBS Zone Identifierが検出できる場合、画面生成部３０は、BCMCSのコンテンツの一覧を表示する選択画面を生成して表示部２２に表示する（ステップＳ１０９）。この場合、表示部２２に表示する選択画面は、例えば図４に示す２２ｅのようにする。無線通信装置１０ｅの位置では、CID#1およびCID#2の２つのMulti-BS-MBSによるコンテンツが受信できる。しかしながら、これらのコンテンツは、提供エリアの問題により、無線通信装置の移動によって早期に視聴が継続不能になるリスクが高い。したがって、選択画面を生成する際は、図４に示す２２ｅのように、これらのコンテンツは除外して表示部２２にコンテンツの一覧を表示する。
【００５９】
また、複数の異なるMulti-BS-MBS提供エリアのフリンジの位置は、同時に、複数のSingle-BS-MBS提供エリアのフリンジでもあると想定される。例えば、無線通信装置１０ｅの位置は、CID#1およびCID#2の２つのMulti-BS-MBSの提供エリアのフリンジであるとともに、CID#12およびCID#17の２つのSingle-BS-MBSの提供エリアのフリンジでもある。このようなSingle-BS-MBSによるコンテンツも、無線通信装置の移動により早期に視聴継続不能となるリスクが高い。したがって、選択画面を生成する際は、図４に示す２２ｅのように、これらのコンテンツも除外して表示部２２にコンテンツの一覧を表示する。
【００６０】
一方、ステップＳ１０８において、複数のMBS Zone Identifierが検出できない場合、無線通信装置１０は、複数の異なるMulti-BS-MBSが提供されるエリアのフリンジには存在しない。この場合、制御部１２は、複数のWiMAX基地局から、複数の異なるMBSが受信可能か否かを判定する（ステップＳ１１０）。
【００６１】
ステップＳ１１０にて、複数のWiMAX基地局から複数の異なるMBSが受信可能である場合、無線通信装置１０は、複数の異なるMulti-BS-MBSが提供されるエリアのフリンジには存在しないが、複数のWiMAX基地局から異なるSingle-BS-MBSが提供されるエリアのフリンジに存在すると想定される。この場合、画面生成部３０は、まずCDMAによるBCMCSを優先させ、次にWiMAXによるMulti-BS-MBSの順にコンテンツの一覧を表示する選択画面を生成して表示部２２に表示する（ステップＳ１１１）。
【００６２】
なお、ステップＳ１１１を行う際の電波状況は、図２における無線通信装置１０ｄの場合に対応する。この場合、表示部２２に表示する選択画面は、例えば図４に示す２２ｄのようにする。無線通信装置１０ｄの位置では、CDMAによるBCMCSのコンテンツの他に、Multi-BS-MBSのコンテンツ(CID#1)も受信可能である。したがって、図４に示す２２ｄのように、サービス提供エリアがより広いと考えられるCDMAによるBCMCSのコンテンツを優先させて表示する。さらに、この時点では、CID#11およびCID#12の２つのSingle-BS-MBSによるコンテンツも受信できる。しかしながら、これらのSingle-BS-MBSによるコンテンツは、提供エリアの問題から、無線通信装置の移動により早期に視聴が継続不能になるリスクが高い。したがって、選択画面を生成する際は、図４に示す２２ｄのように、Single-BS-MBSのコンテンツ(CID#11およびCID#12)は除外して表示部２２にコンテンツの一覧を表示する。
【００６３】
ステップＳ１１０にて、複数のWiMAX基地局から複数の異なるMBSが受信可能でない場合、無線通信装置１０は、複数の異なるMulti-BS-MBSが提供されるエリアのフリンジには存在せず、さらにSingle-BS-MBSが提供されるエリアのフリンジにも存在しないと想定される。この場合、画面生成部３０は、まずCDMAによるBCMCSを優先させ、次にWiMAXによるMulti-BS-MBS、その次にSingle-BS-MBSの順にコンテンツの一覧を表示する選択画面を生成して表示部２２に表示する（ステップＳ１１２）。
【００６４】
なお、ステップＳ１１２を行う際の電波状況は、図２における無線通信装置１０ｂの場合に対応する。この場合、表示部２２に表示する選択画面は、例えば図４の２２ｂのようにする。無線通信装置１０ｂの位置では、CDMAによるBCMCSのコンテンツの他に、WiMAXによるMulti-BS-MBSのコンテンツ(CID#1)と、さらにSingle-BS-MBSのコンテンツ(CID#11)も受信可能である。したがって、図４に示す２２ｂのように、サービス提供エリアが最も広いと考えられるCDMAによるBCMCSのコンテンツを優先させて、次にWiMAXによるMulti-BS-MBSのコンテンツ(CID#1)、その次にSingle-BS-MBSのコンテンツ(CID#11)を表示する。WiMAXによるMBSのコンテンツにおいては、Single-BS-MBSのコンテンツよりも配信エリア（提供エリア）の広範なMulti-BS-MBSのコンテンツを優先させて表示する。
【００６５】
このように、本実施の形態では、提供エリアの広いコンテンツから優先的に選択画面に並べて表示する。したがって、ユーザは、本実施の形態による無線通信装置の選択画面を一見するだけで、移動しながらコンテンツを視聴するに際し、当該コンテンツが配信される際の供給安定度の目安を得ることができる。さらに、本実施の形態による無線通信装置を用いて最も簡単に選択できる、つまり最も少ない手間により選択できるコンテンツは、移動中に視聴不能になるリスクが最も少ないコンテンツになる。このように、本実施の形態による無線通信装置は、ユーザにより容易に選択されて再生が開始されたコンテンツが移動中に視聴不能になるリスクを大幅に低減させることにより、ユーザビリティを著しく向上させることができる。
【００６６】
（第２実施の形態）
次に、本発明の第２実施の形態について説明する。上述した第１実施の形態では、屋内や地下などで配信されるWiMAXによるMBSのコンテンツの送信周波数（屋内用の周波数）は、予め規定された既知の周波数とした。これに対し、本実施の形態では、この屋内用の周波数が予め規定された既知の周波数でない放送システムのを想定して説明する。屋内用の周波数が既知の周波数でない場合とは、例えば、屋内専用の周波数をもともと規定していない放送システムの場合や、全ての基地局が同じ周波数を使用しているシステムの場合(Single Frequency Networkなど)などを想定している。
【００６７】
以下、図５のフローチャートを参照しながら、第２実施の形態による選択画面生成処理を説明する。本実施の形態の選択画面生成処理は、上述した第１実施の形態による選択画面生成処理におけるステップＳ１０５〜ステップＳ１０７を、それぞれステップＳ２０５〜ステップＳ２０７に変更したものである。したがって、本実施の形態の選択画面生成処理は、第１実施の形態による選択画面生成処理と異なる箇所を中心に説明する。
【００６８】
本実施の形態では、選択画面生成処理が開始して、ステップＳ１０１にてWiMAXによる通信が可能であり、かつステップＳ１０４にてCDMAのBCMCSが受信できないと判定された場合、制御部１２は、Multi-BS-MBSを受信可能か否かを判定する（ステップＳ２０５）。この判定は、WiMAXの通信に用いるMACフレームを解析することによって行うことができる。図６に示すように、WiMAX(IEEE802.16e)におけるMACフレームの一部分において、TLV encodingによってMulti-BS-MBSおよびSingle-BS-MBSの識別子(Value)がエンコードされている。この識別子をデコードすることにより、受信可能なコンテンツがMulti-BS-MBSによるものか、またはSingle-BS-MBSによるものかを判定することができる。前述した複数の異なるMBS Zone Identifierを検出する際にも、このMACフレームを解析することにより、同様に判定を行うことができる。このMACフレームについての詳細は、IEEE発行のIEEE802.16e-2005を参照されたい。
【００６９】
ステップＳ２０５においてMulti-BS-MBSを受信可能でない場合でも、ステップＳ１０１にてWiMAXの通信が可能であると判定されているため、Single-BS-MBSは受信可能と想定される。この場合、画面生成部３０は、Single-BS-MBSのコンテンツの一覧を表示する選択画面を生成して表示部２２に表示する（ステップＳ２０６）。なお、ステップＳ２０６を行う際の電波状況は、図２における無線通信装置１０ｃの場合に対応する。この場合、表示部２２に表示する選択画面は、例えば図４の２２ｃのようにする。
【００７０】
一方、ステップＳ２０５においてMulti-BS-MBSが受信可能である場合は、周囲に別のWiMAXの基地局が設置されていることが想定される。この場合、画面生成部３０は、Single-BS-MBSのコンテンツよりも配信エリア（提供エリア）の広範なMulti-BS-MBSのコンテンツを優先させて、MBSのコンテンツの一覧を表示する選択画面を生成して表示部２２に表示する（ステップＳ２０７）。なお、ステップＳ２０７を行う際の電波状況は、図２における無線通信装置１０ｆの場合に対応する。この場合、表示部２２に表示する選択画面は、例えば図４の２２ｆのようにする。
【００７１】
このように、本実施の形態では、屋内用の周波数が既知の周波数でない場合でも、受信可能なMBSがMulti-BS-MBSか否かの判定に基づいて、第１実施の形態と同様の効果を得ることができる。
【００７２】
なお、本発明は、上述した実施の形態にのみ限定されるものではなく、幾多の変更または変形が可能である。上述した各実施の形態においては、ブロードキャスト／マルチキャストサービスを提供する第１のシステムとしてWiMAX、また第２のシステムとしてCDMA2000の無線通信システムを用いる場合を説明した。しかしながら、本発明は、これらの無線通信システムに限定されるものではなく、サービスの提供エリアの異なる複数の無線通信システムであれば任意のシステムで適用可能である。
【００７３】
また、本発明の無線通信装置が通信を行うシステムの数も第１および第２の２つに限定されるものでもなく、任意の数のシステムに対して適用できる。
【００７４】
上述した各実施の形態では、BCMCSおよびMBSのコンテンツを、例えばストリーミング再生する場合のような、リアルタイムなブロードキャストのサービスを想定して説明した。このようなサービスの他に、例えば所定の時刻にダウンロードを行うことにより記憶部２８に蓄積するようなタイプのコンテンツがある場合、選択画面生成処理を行う際に、蓄積したコンテンツも一覧に加えて表示してもよい。蓄積型のコンテンツは、コンテンツを提供する基地局と無線通信装置との現在の位置関係とは無関係に視聴することができる。そのため、蓄積型のコンテンツを選択画面の一覧に加えて表示する際には、リアルタイムのブロードキャストサービスとは別の一覧表示を行うか、またはMulti-BS-MBSやSingle-BS-MBSなどのサービスの各種別において最も優先的に表示してもよい。
【００７５】
さらに、上述した各実施の形態では、早期に視聴が継続不能になるリスクが高いコンテンツは除外してコンテンツの一覧を表示したが、例えば優先度を低く設定したり、または視聴継続不能になるリスクが高いことを示した上で一覧に含めて表示してもよい。
【００７６】
また、Multi-BS-MBSは、複数の基地局が完全に同じプロファイル（シンボル、チャネル、変調方式）を有する場合、マクロダイバーシティ効果により伝送品質の向上を図ることができる。このような場合は、無線通信装置がフリンジエリアに存在しても、複数の基地局からの電波のダイバーシティ効果により、コンテンツを受信する感度の向上が期待できる。したがって、この場合、Multi-BS-MBSのコンテンツの一覧を表示する際に、マクロダイバーシティ効果を得られるコンテンツを優先的に表示するようにもできる。このマクロダイバーシティ効果により、BCMCSよりも広域の範囲にわたってMulti-BS-MBSのコンテンツを提供できるような場合は、上述した各実施の形態において、BCMCSよりもMulti-BS-MBSのコンテンツを優先させて表示すべきである。
【図面の簡単な説明】
【００７７】
【図１】第１実施の形態に係る無線通信装置の概略構成を示す機能ブロック図である。
【図２】複数のWiMAX基地局のセルおよびCDMA基地局のセルと、無線通信装置との位置関係の態様を概略的に示す図である。
【図３】第１実施の形態による選択画面生成処理を説明するフローチャートである。
【図４】第１実施の形態による選択画面生成処理により生成された選択画面の表示例を示す図である。
【図５】第２実施の形態による選択画面生成処理を説明するフローチャートである。
【図６】WiMAX(IEEE802.16e)におけるMACフレームの一部分を説明する図である。
【図７】BCMCSのサービスを提供するCDMAの基地局の配置を概略的に示す図である。
【図８】MBSのサービスを提供するWiMAXの基地局の配置を概略的に示す図である。
【図９】WiMAXのシステムにおいてMBSを提供する例を概略的に示す図である。
【符号の説明】
【００７８】
１０  無線通信装置
１２  制御部
１４，１８  アンテナ
１６  WiMAX通信部
２０  CDMA通信部
２２  表示部
２４  音声出力部
２６  操作入力部
２８  記憶部
３０  画面生成部
１００（100-1〜100-7）  CDMA基地局
２００（200-1〜200-7）  WiMAX基地局
【図１】
2010109583.tif 000003
【図２】
2010109583.tif 000004
【図３】
2010109583.tif 000005
【図４】
2010109583.tif 000006
【図５】
2010109583.tif 000007
【図６】
2010109583.tif 000008
【図７】
2010109583.tif 000009
【図８】
2010109583.tif 000010
【図９】
2010109583.tif 000011